(57)【要約】【課題】骨折または他の損傷を受けた椎骨および他の骨を強化する安全かつ有効な器具および好ましくは最小侵襲性移植方法を用いて移植される器具を提供することである。【解決手段】好ましくは最小侵襲手術および手段により、骨例えば椎骨等の体組織を整復することを含む体組織の強化インプラントおよび方法。インプラントは、体組織内に挿入される１つ以上のチェーンリンク形ボディを有している。リンク形ボディが体組織内に挿入されると体組織の中央部を充填し、皮質外面層、例えば椎体の終板の内面を押し拡げて、体組織の構造的支持を形成し、体組織をその元の所望治療高さに修復する。体組織を更に強化しかつ安定化させるため、骨セメントまたは他の充填材を添加できる。【選択図】図１
2009521279.tif 000002
【特許請求の範囲】
【請求項１】
フレキシブル細長部材を有し、該フレキシブル細長部材はその高さまたは幅より実質的に大きい長手方向長さを有し、該フレキシブル細長部材は、
実質的に非フレキシブルである複数のボディと、
該ボディを相互連結する実質的にフレキシブルである複数のリンクとを有し、ボディおよびリンクは端と端とが連結されて細長部材を形成し、
該細長部材は生体適合性材料で形成されていることを特徴とする体組織強化器具。
【請求項２】
前記細長部材は一体モノリシックチェーンとして形成されていることを特徴とする請求項１記載の体組織強化器具。
【請求項３】
前記モノリシックチェーンは骨で形成されていることを特徴とする請求項２記載の体組織強化器具。
【請求項４】
前記モノリシックチェーンは同種移植骨で形成されていることを特徴とする請求項３記載の体組織強化器具。
【請求項５】
前記フレキシブルリンクは、前記ボディより高い度合いで脱ミネラル化されていることを特徴とする請求項４記載の体組織強化器具。
【請求項６】
前記細長部材の少なくとも一部に適用されたコーティングを更に有していることを特徴とする請求項５記載の体組織強化器具。
【請求項７】
前記コーティングは、治療剤、骨セメント、抗生物質および骨成長促進物質から選択された少なくとも１つの群からなることを特徴とする請求項６記載の体組織強化器具。
【請求項８】
前記コーティングは、体組織内への挿入時に活性化される骨セメントからなることを特徴とする請求項７記載の体組織強化器具。
【請求項９】
前記ボディの少なくとも一部は、骨の内成長を促進するように構成された外面を有していることを特徴とする請求項４記載の体組織強化器具。
【請求項１０】
前記ボディはリンクよりサイズが大きく、チェーンは、互いに隣接するボディが、チェーンの破壊またはクラッキングを生じさせることなく接触するように曲げられることを特徴とする請求項１記載の体組織強化器具。
【請求項１１】
骨内に挿入できることを特徴とする請求項１記載のインプラント。
【請求項１２】
２つの椎骨間に挿入できることを特徴とする請求項１記載のインプラント。
【請求項１３】
細長部材を有し、該細長部材はその高さまたは幅のいずれより大きい長手方向長さを有し、該細長部材は、
複数のボディと、
該ボディを相互連結する複数のリンクとを有し、該リンクは、ボディよりフレキシブルでありかつ高い度合いで脱ミネラル化されていることを特徴とする体組織強化器具。
【請求項１４】
前記ボディは第一横断面サイズを有し、リンクは第二横断面サイズを有し、第一横断面サイズは第二横断面サイズより大きいことを特徴とする請求項１３記載の体組織強化器具。
【請求項１５】
前記細長部材は、約４０ｍｍと約１５０ｍｍとの間の長さと、約２ｍｍと約８ｍｍとの間の最大高さと、約３ｍｍと約８ｍｍとの間の最大幅とを有していることを特徴とする請求項１３記載の体組織強化器具。
【請求項１６】
前記細長部材の少なくとも一部をカバーする骨セメントコーティングを更に有し、該コーティングは活性状態および不活性状態を有し、骨セメントは、不活性状態から活性状態に変化させるべく使用者により制御され、活性状態は、セメントを他の表面に付着させることができることを特徴とする請求項１３記載の体組織強化器具。
【請求項１７】
フレキシブルなモノリシック細長部材を用意する段階を有し、該細長部材はその高さまたは幅のいずれよりも大きい長手方向長さを有し、同種移植骨で形成された細長部材は、複数のリンクにより一体に連結された複数のボディを有し、リンクはボディ間に配置されかつボディより高い度合いの脱ミネラル化およびフレキシビリティを有し、
細長部材を骨の内部に挿入する段階を更に有することを特徴とする骨粗しょう症の骨の治療方法。
【請求項１８】
前記細長部材はその長手方向長さに沿って挿入されることを特徴とする請求項１７記載の方法。
【請求項１９】
前記細長部材は、骨の内部の現場で硬化状態に硬化する骨セメントと同時に挿入されることを特徴とする請求項１７記載の方法。
【請求項２０】
前記細長部材の少なくとも一部が骨から延びていることを特徴とする請求項１９記載の方法。
【請求項２１】
前記細長部材は、カニューレを通して椎骨の内部に挿入されることを特徴とする請求項１７記載の方法。
【請求項２２】
前記細長部材は、骨の皮質外面の少なくとも一部を移動させるのに充分な力で挿入されることを特徴とする請求項１７記載の方法。
【請求項２３】
骨の皮質外面に開口を形成する段階と、
骨の内部にキャビティを形成する段階とを更に有することを特徴とする請求項１７記載の方法。
【請求項２４】
前記キャビティを形成する段階は、骨内に骨細胞を詰めることを含むことを特徴とする請求項２３記載の方法。
【請求項２５】
骨チップ、治療剤、骨成長促進剤および抗生物質の群から選択された少なくとも１つを骨の内部に挿入する段階を更に有することを特徴とする請求項１７記載の方法。
【請求項２６】
骨の外面に開口を形成する段階と、
該開口から骨の内部への通路を形成する段階と、
骨の内部から細長部材が出てしまうことを防止すべく、開口および通路の少なくとも１つを骨セメントのプラグで充填する段階とを更に有することを特徴とする請求項１７記載の方法。
【請求項２７】
前記細長部材を挿入する段階は、ボディが骨の内部で互いに接触するように複数のリンクを曲げることを含むことを特徴とする請求項１７記載の方法。
【請求項２８】
前記ボディのサイズはリンクのサイズより大きいことを特徴とする請求項２７記載の方法。
【請求項２９】
骨の内部に細長部材を挿入する段階の後に、骨セメントおよび骨チップの群から選択された少なくとも１つを挿入する段階を更に有することを特徴とする請求項２８記載の方法。
【請求項３０】
フレキシブルな細長部材を用意する段階を有し、該細長部材はその高さまたは幅より大きい長手方向長さを有し、同種移植骨で形成された細長部材は、複数のリンクにより一体に連結された複数のボディを有し、リンクはボディ間に配置されかつボディより高い度合いの脱ミネラル化およびフレキシビリティを有し、
細長部材を２つの隣接椎骨間に挿入する段階を更に有することを特徴とする脊椎の治療方法。
【請求項３１】
前記細長部材を椎骨円板の環状体内に挿入する段階を更に有することを特徴とする請求項３０記載の方法。
【請求項３２】
前記ボディはリンクより大きいことを特徴とする請求項３０記載の方法。
【請求項３３】
少なくとも１つの細長部材が、単一同種移植骨から一体モノリシック構造として形成されていることを特徴とする請求項３０記載の方法。
【請求項３４】
骨を機械加工して細長部材を作る段階を有し、該細長部材はその高さまたは幅のいずれよりも大きい長手方向長さを有し、細長部材は複数のリンクにより一体に連結された複数のボディを有し、リンクはボディ間に配置され、ボディは、端と端とが連結される態様で１つの線に沿って連結されることを特徴とする同種移植骨インプラントの製造方法。
【請求項３５】
前記ボディはリンクより大きい体積を有し、細長部材は、１つの単一モノリシックインプラントと同じ骨から形成されることを特徴とする請求項３４記載の製造方法。
【請求項３６】
前記細長部材を脱ミネラル化する段階は、複数のボディおよび複数のリンクを、実質的に同じ時間だけ同じ脱ミネラル化溶液に曝すことを含むことを特徴とする請求項３５記載の製造方法。
【請求項３７】
前記リンクは完全に脱ミネラル化されることを特徴とする請求項３６記載の製造方法。
【請求項３８】
骨が脱ミネラル化溶液に曝されないようにすべく、複数のボディをカバーする段階と、
リンクおよびカバーされたボディを脱ミネラル化溶液に曝す段階を更に有することを特徴とする請求項３４記載の製造方法。
【発明の詳細な説明】
【技術分野】
【０００１】
関連出願の相互参照
本願は、２００５年１２月２３日付米国仮特許出願第６０／７５３，７８２号および２００６年６月２日付米国仮特許出願第６０／８１０，４５３号の優先権を主張する。尚、これらの出願は、その全部を本願に援用する。
【０００２】
本発明はインプラントに関し、より詳しくは、例えば椎骨円板等の骨構造または他の構造を強化または支持するフレキシブルチェーンインプラントに関する。
【背景技術】
【０００３】
図１に示すように、椎骨の圧迫骨折は広く一般的な脊椎損傷を呈し、長期障害を招くことがある。これらの骨折には、脊椎１０の１つ以上の椎体１２の圧壊が含まれる。脊椎の圧迫骨折は、通常、胸椎の下方椎骨または腰椎の上方椎骨に生じる。圧迫骨折は、一般に、損傷を受けた椎体１２の前方部分１８（後側１６の反対側）の骨折を含む。脊椎の圧迫骨折により、脊椎の損傷領域内の椎体の正常な整合または曲率の変形、例えば脊椎前弯が生じる。脊椎の圧迫骨折および／または関連する脊椎変形は、例えば、脊椎の転移性病変または外傷から生じることがあり、或いは骨粗しょう症に関係することもある。最近まで、医者は、いかにしてこのような圧迫骨折および関連変形を治療できるかに制限を受けてきた。利用できるオプションは、ペイン投薬、ベッド休息、ブレーシング（bracing）または侵襲性脊椎手術に過ぎない。
【０００４】
より最近になって、脊椎圧迫骨折の最小侵襲性外科手術が開発されている。これらの手術は、一般に、通常はペディクル（pedicles）を通して、損傷を受けた椎体の後方部分内に挿入されるカニューレまたは他のアクセスツールの使用を含む。これらの手術のうちの最もベーシックなものは椎骨形成術であり、この椎骨形成術は、文字通り、椎体の固定を意味し、骨の最初の整復を行うことなく実行できる。
【０００５】
簡単にいえば、カニューレまたは特殊な骨針が、背中の柔らかい組織を通してゆっくりと挿入される。少量のＸ線染料と一緒にイメージガイド形Ｘ線を用いることにより、針の位置を常時観察できる。少量のポリメチルメタクリレート（ＰＭＭＡ）または他の整形外科用セメントが、針を通して椎体内に押出される。ＰＭＭＡは、多年に亘って種々の整形外科手術に使用されてきた医用物質である。一般に、セメントは抗生物質と混合されて感染の危険性を低減させ、バリウムまたはタンタルを含有する粉末は、Ｘ線で観察できる。
【０００６】
椎骨形成術は、骨折痛の低減または除去、更なる圧壊の防止および患者の運動能力の回復にとって有効である。しかしながら、この椎骨形成術は、骨折した骨を整復するものではなく、従って骨折による脊椎の変形の問題に対処するものではない。一般に、椎骨形成術は、損傷領域における隣接椎体間の脊椎後弯が１０％以下である状況を除き行われない。また、最近の研究によれば、この手術は、低粘度セメントを用いた高圧セメント注入を必要とし、手術の３０〜８０％でセメントの漏洩が生じている。殆どの場合において、セメントの漏洩は無害である。しかしながら、稀には、ポリメチルメタクリレートまたは他のセメントが脊椎管または脊椎周囲の静脈系内に漏洩して肺動脈塞栓症を引起こし、患者を死に至らしめることがある。
【０００７】
椎骨の圧迫骨折のより進歩した治療法として、一般に２つのフェーズすなわち（１）椎体の元の高さの整復または修復、従って脊椎前弯の矯正、および（２）強化、すなわち骨折した骨または圧壊した骨を支持しまたは強化する材料の添加がある。
【０００８】
このような１つの治療法であるバルーン脊椎後弯形成術（Kyphon Inc.）が、下記特許文献１〜３に開示されている。尚、これらの特許文献１〜３はその全体を本願に援用する。拡大可能なバルーンチップを備えたカテーテルが、カニューレ、シースまたは他の導入器を通して、骨折した皮質骨により包囲された比較的柔らかい海綿骨からなる骨折した椎体の中央部内に挿入される。次に、椎体内で拡大するバルーンを膨張させて椎体をその元の高さに修復することにより、脊椎後弯形成術によって脊椎前弯の再形成すなわち正常曲率を達成する。バルーンを取出して椎体内に空隙を残し、次に、椎骨形成術に関連して上述したように、ＰＭＭＡまたは他の充填材がカニューレを通して空隙内に注入される。カニューレが取出されかつセメントが硬化して、骨が強化され、充填されまたは固定される。
【０００９】
この手術の欠点は、コストが嵩むこと、バルーンカテーテルを取出した後に椎体の終板が失われることがあること、および手術中に椎骨の終板に孔があくことがあることである。椎骨形成術と同様に、椎骨後弯形成術に関して可能性は小さいとはいえ多分最も恐ろしい問題は、骨セメントの漏洩に関することである。例えば、椎骨管内への骨セメントの漏洩により、神経学的欠損が生じることがある。このようなセメント漏洩は、椎体の低耐性静脈により、または予知できなかった骨のクラックにより生じる。他の問題として、隣接レベルの付加椎骨骨折、感染およびセメント塞栓形成がある。セメント塞栓形成は、セメント漏洩と同様なメカニズムにより生じる。セメントは低耐性静脈系内に押出され、肺または脳に移動して肺動脈塞栓または発作を引起こす。
【００１０】
椎骨圧迫骨折を治療する他のアプローチは、オプチメッシュシステム（Optimesh system）（Spineology Inc. Stillwater,ミネソタ州）である。オプチメッシュシステムは、椎体内に拡大可能なメッシュグラフトバルーンまたは収容器具を用いて、セメントまたは同種移植骨または自家移植骨の最小侵襲性デリバリを行う。バルーングラフトは、その膨張後に椎体内に留まり、このため、バルーン引出し時の脊椎後弯形成術中に生じる、整復の術中ロスを防止する。しかしながら、このシステムの１つの欠点は、メッシュインプラントが椎体内に首尾良く一体化しないことである。このため、インプラントと椎体との間に相対移動が生じ、従って整復の術後ロスが生じる。この手術に関する更なる詳細が、例えば下記特許文献４に開示されている。尚、この特許文献４は、その全体を本願に援用する。
【００１１】
椎骨圧迫骨折の治療に使用される更に別の手術は、スカイボーンエキスパンダ（SKy Bone Expander）として知られている膨張可能なポリマー強化マスである。この器具は、制御された態様で、予め設計されたサイズおよび形状（立方体または台形）に拡大される。キーフォンバルーン（Kyphon balloon）と同様に、ひとたび最適椎骨高さおよび空隙が達成されたならば、スカイボーンエキスパンダが取出され、ＰＭＭＡセメントまたは他の充填材が空隙内に注入される。従って、この手術は、脊椎後弯形成術に関連して上述したのと同じ多くの欠点および欠陥を有している。
【００１２】
骨折した骨または損傷を受けた骨の或る場合には、損傷領域を補修しまたは治療するのに骨グラフトが使用される。米国だけで、年間約５０万件の骨グラフト手術が行われ、これらの手術は、骨ロス、怪我または脊椎固定術（脊椎または関節のための固定術）による固定を必要とする他の状態を含む骨折等の問題への種々の医療的介入、および外傷、感染または病気により引起こされる他の骨欠損に関するものである。骨グラフティングには体内での骨片の外科的移植術があり、一般に人体資源から得たグラフト材料を用いて行われる。これは、主として、異種移植および他の種からの移植が制限されていることによる。
【００１３】
整形外科用自家移植骨または自原性（autogeneous）グラフトとして、移植を受ける人と同じ個体から得た資源骨（source bone）がある。かくして、この形式の移植は、骨材料を体内の一部位から同じ体内の他の部位に移動させ、免疫学的問題を最小にできる長所を有している。自家移植骨を使用することは、必ずしも可能ではなく或いは好ましいものでもない。患者の体から骨材料を得ることは、一般に、移植手術とは別の手術を必要とする。また、材料の取出し（しばしば、骨盤領域または肋骨からの健康材料の使用を含む）は、特に、材料を取出した箇所で、患者はリハビリテーション中に更に不快感を増す傾向を有する。合成材料から形成されたグラフトも開発されているが、骨の特性に似せることの困難性のため、これらのインプラントの効能が制限されている。
【００１４】
自家移植骨および合成グラフトにより提出される挑戦の結果として、多くの整形外科用手術は、他の人体資源（通常は死体）からの骨グラフトである同種移植骨の使用を含むものである。例えば骨グラフトは、宿主骨（host bone）内に配置されて、宿主骨から成長した新しい骨組織を支持する副構造体として機能する。グラフトは、骨折領域または欠損領域での挿入に適した形状になるように造形され、かつしばしば、例えばねじ、ピン、セメント、ケージ、膜等により当該領域に固定する必要がある。同種移植骨の資源材料が入手できることおよび医療社会においてこの材料が広く受入れられていることにより、同種移植骨組織の使用は、筋骨格手術の分野で広まる傾向を有している。
【００１５】
特に、例えば大腿骨（下肢）、脛骨および腓骨（脚）、上腕骨（上腕）、橈骨および尺骨（下腕）等の身体の種々の骨は、かなり異なった幾何学的形状を有している。また、これらの骨の長さは異なっており、例えば成人では、長さは４７ｃｍ（大腿骨）から２６ｃｍ（橈骨）まで変化している。更に、各種の骨の断面形状はかなり異なっており、所与の骨の形状は、長さよりも大きく異なっている。大腿骨はほぼ円形の外形を有しているが、脛骨はほぼ三角形の外形を有している。また、壁厚も各骨の種々の横断面で異なっている。かくして、インプラントコンポーネントを作るための任意の所与の骨の使用は、骨の直径および幾何学的形状に関連して定まる。しかしながら、骨を機械加工することにより、標準化された寸法またはカスタム寸法をもつインプラントコンポーネントを製造できる。
【００１６】
骨は、コラーゲンに富んだミネラル組織を有し、約４０％の有機物質（主としてコラーゲン）と、残部の無機物質（主として、３Ｃａ3（ＰＯ4）2Ｃａ（ＯＨ）2）に似たほぼヒドロキシアパタイト組成）とからなる。構造的に、コラーゲンは、フィブリルの長さに沿って分布するヒドロキシアパタイト結晶をもつフィブリル生成物であり、個々のフィブリルは互いに平行に配置され、線維を形成している。骨の種類に基いて、フィブリルは、織り交ぜられるか、互いに垂直に配置された薄板として形成されている。
【００１７】
骨組織は複雑なデザインを有し、骨の種類（すなわち、脚、腕または椎骨）および全体的構造に基いて、骨組織の特性が大きく異なっている。例えば長手方向に試験した場合、脚および腕の骨は約１７〜１９ＧＰａの弾性係数を有しているのに対し、椎骨組織は１ＧＰａより小さい弾性係数を有する。脚および腕の骨の引張り強度は約１２０〜１５０ＭＰａの間にあるが、椎骨の引張り強度は４ＭＰａより小さい。特に骨の圧縮強度は異なっており、大腿骨および上腕骨は、それぞれ、１６７ＭＰａおよび１３２ＭＰａの最大圧縮強度を有している。この場合も、椎骨は非常に小さい圧縮強度を有し、通常、１０ＭＰａ以下である。
【００１８】
所与の骨の全体的構造に関し、機械的特性は骨の全体に亘って変化している。例えば、大腿骨のような長骨（脚の骨）は、コンパクトな骨およびスポンジ状の骨の両方を有している。皮質骨、すなわち細いキャビティを包囲するコンパクトで稠密な骨は、一般に中実であり、従って大骨の荷重の大部分を支持する。海綿骨、すなわちスポンジ状の骨は一般に多孔質で延性があり、皮質骨と比較して、密度が約１／３〜１／４、剛さが約１／１０〜１／２０であるが、延性は約５倍である。海綿骨は約１０〜２０ＭＰａの引張り強度および約０．７ｇ／ｍ3の密度を有するが、皮質骨は約１００〜２００ＭＰａの引張り強度および約２ｇ／ｍ3の密度を有する。また、海綿骨の破壊歪みは約５〜７％であるのに対し、皮質骨は破壊前に１〜３％の歪みに耐え得るに過ぎない。これらの機械的特性は、骨材料に適用される何らかの化学的処理、および取出し後であるがインプラント前（すなわち、骨は乾燥している）の貯蔵方法等の多くのファクタの結果として劣化する。
【００１９】
特に、海綿骨のインプラントは、皮質骨に比べて海綿骨の方が骨伝導性（osteoconduction）が優れているので、周囲の宿主骨により容易に一体化される。また、体の異なる領域から得た海綿骨は、一定範囲の空隙率を有することが知られている。例えば、腸骨稜の海綿骨は、大腿骨頭の海綿骨とは異なる空隙率を有する。かくして、海綿骨を用いたインプラントの設計は、所望の空隙率をもつ、特別に組込まれる材料に適合される。
【００２０】
【特許文献１】米国特許第６，４２３，０８３号明細書（Riley等）
【特許文献２】米国特許第６，２４８，１１０号明細書（Riley等）
【特許文献３】米国特許第６，２３５，０４３号明細書（Riley等）
【特許文献４】米国特許公報第２００４００７３３０８号明細書
【特許文献５】２００５年９月２８日付米国仮特許出願第６０／７２２，０６４号明細書（名称「リンク形ボディを用いて椎骨を強化する器具および方法（Apparatus and Method for Vertebral Augumentation using Linked Bodies）」）
【特許文献６】米国特許公報第２００４／０１８１２８号明細書（Zucherman等）
【特許文献７】米国特許第６，４１９，６７６号明細書（Zucherman等）
【発明の開示】
【発明が解決しようとする課題】
【００２１】
当該技術分野では、骨折または他の損傷を受けた椎骨および他の骨を強化する安全かつ有効な器具および方法、好ましくは最小侵襲性移植方法を用いて移植される器具を提供することが要望されている。
【課題を解決するための手段】
【００２２】
本発明の一実施形態によるフレキシブルチェーンは、一連のすなわち複数の好ましくは中実で実質的に非フレキシブルなボディ部分（ボディまたはビーズとも呼ぶ）と、一連のフレキシブルリンク部分（リンクまたはストラットとも呼ぶ）とを有している。好ましくは中実で実質的に非フレキシブルなボディ部分は、あらゆる方向に加えられる荷重に耐えるのが好ましく、インプラントのフレキシブルリンク部分は、実質的に非フレキシブルなボディ部分の間に配置されるのが好ましく、選択された方向または所望の方向においてのみフレキシブルであるが、あらゆる方向にフレキシブルであるのが好ましい。ボディは、実質的に中実、半中実または中空であり、ボディが移植される位置で受ける荷重を支持する充分な強度を有するのが好ましい。リンク部分は、中実、半中実または中空であり、細長部材すなわちチェーンが曲げられるときに隣接ボディが互いに接触できるのに充分なフレキシビリティを有するのが好ましい。両部分すなわちフレキシブルリンク部分および非フレキシブルボディ部分は同じであるのが好ましく、かつ１つの単一フレキシブルモノリシックチェーン（flexible monolithic chain：ＦＭＣ）を形成する。
【００２３】
本発明の一態様では、体組織例えば骨の強化器具は、フレキシブルな細長部材すなわちチェーンを有し、該細長部材はその高さまたは幅より実質的に大きい長手方向長さを有している。フレキシブルな細長部材は、複数の実質的に非フレキシブルなボディと、該ボディを相互連結する複数の実質的にフレキシブルなリンクとを有している。ボディおよびリンクは、端と端とが連結されて細長部材を形成し、細長部材は生体適合性材料で形成されている。
【００２４】
ボディはリンクとは異なるサイズおよび形状にするか、同じ形状およびサイズにすることができる。また、各ボディおよびリンクは、他のボディまたはリンクとは異なるサイズおよび形状にすることができる。一実施形態では、ビーズは、一体にフィットして隙間間隔が最小になるような形状を有している。例えば、ビーズは、これらのビーズ間に殆ど間隔が生じないように一体に重なり合うことができる立方体または他の多面体の形状にすることができる。
【００２５】
細長部材は、例えば同種移植骨のような骨で形成できる一体モノリシックチェーンとして形成される。フレキシブルリンクは、ボディよりも高い度合いまで脱ミネラル化された骨で形成できる。任意であるが、細長部材の少なくとも一部にはコーティングを適用でき、コーティングは、例えば、治療剤、骨セメント、抗生物質、骨成長促進物質、骨形態発生プロテイン（bone morphogenic protein：ＢＭＰ）またはこれらの任意の組合せからなる。治療剤または薬剤（例えば抗体）または生物学的物質（例えば１つ以上のＢＭＰ），がコーティングされるか、ペプチドを介して付着されるか、吸収されるか、他の或る方法で細長部材、すなわちボディ、リンクまたはこれらの両方の上または中に灌流される。或る実施形態では、コーティングは、骨内への挿入時に活性化される骨セメントで形成できる。他の実施形態では、ボディの少なくとも一部が、骨の内成長を促進するように構成された外面を有している。
【００２６】
他の態様では、フレキシブルチェーンインプラントは、例えば小さく細い開口を通してキャビティ、空隙または中空スペース内に押し込まれるか、挿入される。このようなキャビティは、例えば、長骨、椎骨間円板スペースまたは椎体の空隙で形成できる。このような空隙は、感染、病気、外傷、骨折、変性円板の病気による突起、腫瘍または骨切り術により生じることがある。他の実施形態では、空隙は、移植前に、海綿骨または皮質骨または他の組織を詰め込みまたは取出すツールを用いて形成できる。その後、チェーンは、形成された空隙を充填すべく移植される。挿入力または詰め込み力に基いておよび挿入されたチェーン器具の長さに基づいて、器具は、組織構造好ましくは骨構造を復元サイズおよび／または高さに充填しおよび／または支持する。他の実施形態では、空隙またはキャビティが存在しないこともある。空隙またはキャビティが存在する場合には、チェーンインプラントすなわち細長部材が挿入されおよび／または移植され、骨内に物質および骨細胞を詰め込みかつ荷重をより良く支持できる態様で骨を更に充填し、好ましくは、骨をその元のサイズおよび高さおよび／または治療されたサイズおよび高さに復元させるように充填する。
【００２７】
他の態様では、例えば長骨、感染、粉砕複雑骨折、腫瘍切除術および骨切り術の痕跡を治療すべく、１つ以上のフレキシブルモノリシックチェーンが、病変骨、損傷を受けた骨または異常な骨内に移植される。ＦＭＣ器具はまた、例えば変性円板病変、虚脱椎骨間円板、椎体腫瘍または椎体骨折および椎体切除術を含む脊椎用途における病気または異常な病理学状態を治療するのにも使用できる。細長部材すなわちチェーンは、骨、脊椎円板を強化するための防止手段として、または融合を促進させる椎体間インプラントとしても使用できる。細長部材は、椎骨内または２つの椎骨間で使用できる。細長部材すなわちチェーンはまた、例えば、２つの椎骨間の円板スペース内に挿入されるインプラントとして、円板環状体内に挿入されかつ保持されるインプラントとして、例えば椎体間融合手術に使用でき、或いは２つの椎骨間の円板スペース内に挿入される付加インプラントと組合せて使用できる。
【００２８】
他の実施形態では、本発明による組立体およびコンポーネンツの種々の組合せからなるキットが提供される。キットには、例えば、細長部材、例えばＦＭＣ器具、カニューレまたは他の導入器、または細長部材を移植する器具を入れるパッケージまたは容器を含めることができる。他の実施形態では、キットに、キャビティを形成する器具（例えばバルーンカテーテル）、ＦＭＣ器具、およびセメントまたは他の充填材および／またはＦＭＣ器具および／またはこのような充填材を椎体内に注入するシリンジまたは他の器具を含めることができる。
【発明を実施するための最良の形態】
【００２９】
本発明は添付図面を参照して述べる以下の説明からより良く理解されよう。尚、全図面を通して、同じ要素には同じ参照番号が使用されている。添付図面は、単独で使用される特徴または他の特徴と組合せて使用される或る特徴を示すための単なる例示であり、本発明は図示の実施形態に限定されるものではない。
【００３０】
図２を参照すると、チェーン（細長部材と呼ぶこともある）２００は、１つ以上のボディ（ビーズと呼ぶこともある）２１０を有している。チェーン２００は、好ましくはモノリシックチェーンであり、例えば、単一の共通材料または一体構造を形成する材料形式から形成される。ボディ２１０は好ましくは実質的に非フレキシブルであり、中実、半中実、多孔質、非多孔質、中空またはこれらの任意の組合せで構成できる。また、チェーン２００は、１つ以上のリンキング部分（ストラットまたはリンクと呼ぶこともある）２２０を有している。ストラット２２０は、各対の隣接ボディ２１０間に配置される。ストラット２２０は、例えばボディ２１０間でチェーン２００を曲げることができるように、実質的にフレキシブルまたは半フレキシブルであるのが好ましい。
【００３１】
チェーン２００のボディ２１０は、例えば皮質骨、海綿骨またはこれらの両者のような骨で形成するのが好ましいが、皮質骨の方が好ましい。他の実施形態では、チェーン２００は、所望の特性をもつ任意の生体適合性材料、例えば生体適合性ポリマー、金属、セラミック、複合材料またはこれらの任意の組合せで形成できる。ボディ２１０は、身体により吸収または再吸収可能な材料で形成できる。幾つかの用途では、ボディ２１０は好ましくは骨誘導性を有し、或いは少なくとも一部が骨誘導性材料から作られる。ボディの外周形状は隣接リンクと同じにすることができる。これとは別にまたはこれに加えて、ボディの外周形状は、隣接リンクと同サイズにすることができる。ボディ２１０は、均一サイズまたは不均一のサイズ、形状および／または材料で形成でき、かつ例えば１つ以上のフレキシブルまたは半フレキシブルリンキング部分２２０（該部分はボディ２１０間に任意の所望長さのストラットを形成できる）により直列にリンクされる。必ずしもそうである必要はないが、リンキング部分２２０は、ボディ２１０と同じ材料で形成するのが好ましい。
【００３２】
チェーン２００は所望数のリンクされたボディ２１０を有し、かつ第一端部２０２および第二端部２０４を有している。他の実施形態では、チェーン２００は、無端のルーフ、リングまたは他の形状に形成でき、或いは例えば木の枝のように多数の延長部および／または多数の端部を設けることもできる。
【００３３】
１つ以上のリンキング部分２２０は、フレキシビリティ、強度等の所望の特性を有する任意の生体適合性材料で形成できる。好ましい実施形態では、リンキング部分２２０は、その少なくとも一部が、ボディ２１０と実質的に同じ材料で形成できる。或る実施形態では、ボディ２１０および／またはリンキング部分２２０を備えたチェーン２００は再吸収可能な材料で形成できる。ボディ２１０は均一サイズまたは不均一サイズにでき、かつリンキング部分２２０により均一または不均一な増分で間隔を隔てることができる。
【００３４】
図２Ｂは、図２Ａのチェーンの２Ｂ−２Ｂ線に沿う拡大断面図である。この例では、チェーン２００はモノリシックチェーンであり、ボディ２１０およびフレキシブル部分２２０は、例えば骨のような均一材料で形成されている。ボディ２１０は実質的に球形として示され、リンキング部分２２０は実質的に円筒状として示されているが、他の多くの形状を考えることができる。実際に、ボディ２１０および／またはリンキング部分２２０を含むチェーン２００は、例えば円筒状、楕円体、球体、直方体等の任意の所望形状にすることができる。ボディ２１０および／またはリンキング部分２２０はまた、円形、六角形、正方形等の任意の特定断面形状にすることができる。ボディ２１０およびリンキング部分２２０は、同じ形状または異なる形状にすることができる。或る実施形態では、ボディ２１０の形状は、例えば図５および図１０に関連して説明するように、チェーン２００内で変えることができる。これとは別にまたはこれに加えて、リンク２２０の形状もチェーン内で変えることができる。一実施形態では、ボディは、これらが、隙間間隔を最小にすべく一体に嵌合されるか、所定範囲の隙間間隔を形成するような形成にすることができる。  
【００３５】
チェーン２００の全ての寸法的特徴は、任意の特定解剖学的構造またはデリバリ器具に適合させることができる。例えば、椎体を強化する用途では、例えば図２Ｂに示すように、ボディ２１０の直径２３０は、約１ｍｍと約１５ｍｍの間、好ましくは約２ｍｍと約８ｍｍとの間、またはより好ましくは約４ｍｍと約６ｍｍとの間に定めることができる。好ましくは、非フレキシブルボディ２１０は、フレキシブルストラット２２０より大きい形状およびサイズを有する。例えばストラット２２０の高さ２３２は、約０．５ｍｍと約８ｍｍとの間、好ましくは約０．８ｍｍと約４ｍｍとの間で定めることができ、一部はボディ２１０のサイズに基いて定めることができる。ストラット２２０は任意の所望長さ２３８、例えば約０．５ｍｍと約５．０ｍｍとの間、好ましくは約１．５ｍｍと３．５ｍｍとの間、または５ｍｍより大きい寸法に定めることができる。同様に、ボディ２１０同士の間の距離２３４は、例えばボディ２１０のサイズおよびストラット２２０の長さ２３８に基いて任意の所望距離にすることができる。或る実施形態では、例えば距離２３４は、約４ｍｍと約１５ｍｍとの間、または約６ｍｍと約１０ｍｍとの間に定めることができる。ボディ２１０とストラット２２０との間の結合部は任意の所望寸法にすることができ、例えば１．０ｍｍ未満、約１．０ｍｍと約２．０ｍｍとの間、または約２．０ｍｍより大きくすることができる。
【００３６】
或る実施形態では、チェーン２００のボディ２１０およびストラット２２０の各々はチェーン２００内の他のボディ２１０およびストラット２２０と同じ形状および／または寸法にすることができる。他の実施形態では、チェーン内のボディ２１０および／またはストラット２２０は、異なる形状または寸法にすることができる。更に別の実施形態では、非フレキシブルボディ２１０およびフレキシブル部分２２０は同じ形状およびサイズにして、例えば図４に示すような比較的均一な構造を形成することができる。
【００３７】
チェーン２００は、できる限り特定用途に実用できるように作ることができる。例えば、骨内に移植するチェーン２００の長さは約１００ｍｍにすることができる。他の実施形態では、チェーン２００は、他の長さ、例えば約１ｍｍ未満、約１ｍｍと約１００ｍｍとの間、または１００ｍｍより大きくすることができる。或る実施形態では、２つ以上のチェーン２００および／または他のインプラントとを互いに組合せて使用することができる。チェーン２００の端と端とを連結して、より大きいチェーンを形成することができる。
【００３８】
本発明は、好ましくは同種移植骨材料からインプラントを作ることに関するが、本発明は、例えば異種移植骨、自家移植骨、金属、合金、セラミック、ポリマー、複合材料、およびカプセル封入された流体またはゲルを含む次のような他の材料（但しこれらに限定されない）を用いたインプラントにも適用できる。また、本明細書で説明するインプラントは、例えば、空隙率のレベルが異なる種々の骨または種々の組織および／または材料を組合せた骨セクションのように、空隙率のレベルが異なる材料で形成できる。
【００３９】
また、本明細書で説明するインプラントは、ミネラル含有量が異なる骨材料で形成することもできる。例えば、例えば自然状態、部分的脱ミネラル化状態または脱ミネラル化状態の海綿骨または皮質骨で形成できる。脱ミネラル化は、一般に、塩酸等の酸の使用、キレート化剤、電気分解または他の処理を含む種々の化学的処理技術により行われる。脱ミネラル化処理は、自然骨中に含有されるミネラルを除去するもので、コラーゲン線維に骨形態発生プロテイン（bone morphogenic protein:ＢＭＰ）を含む骨成長ファクタを残しておく。骨セクションの機械的特性は、脱ミネラル化の度合いを変えることにより変えることができる。有利なことは、例えば皮質骨または海綿骨等の骨に脱ミネラル化剤を使用することにより、骨の特性を剛性構造から比較的しなやかな構造に変形できることである。任意であるが、脱ミネラル化骨のフレキシビリティすなわちしなやかさは、骨を水和することにより高められる。本願明細書で広く「フレキシビリティ」と呼ぶ展性、弾性、しなやかさまたはフレキシビリティの所望の度合いを達成するため、骨コンポーネンツの所望部分、例えばリンク部分２２０または他の任意の所望部分は、脱ミネラル化または部分的に脱ミネラル化することができる。フレキシビリティの度合いは、脱ミネラル化の程度を変えることにより変えることができる。
【００４０】
或る実施形態では、脱ミネラル化領域または部分的脱ミネラル化領域のフレキシビリティは、インプラントまたはその一部の含水量を変えることにより更に高めることができる。次のような最初の骨コンポーネンツ、すなわち（ａ）ドナーから採取したばかりの凍結されていない自然状態の骨、（ｂ）水分はそのままに、一般に−４０℃で凍結された状態の骨、（ｃ）フリーズ−ドライされた骨のように水分が除去された骨、および（ｄ）水中に浸漬されたときのように水和状態にある骨には水分を与えることができる。骨材料の加熱および冷却中に得られる伸縮特性、および或る骨材料について膨潤と同時に生じる水分の再吸収を用いることにより、骨または他の領域内でのインプラントの所望のフレキシビリティを達成する他のアプローチが可能になる。
【００４１】
インプラントは、その全体を、皮質骨、海綿骨または皮質骨と海綿骨との組合せから形成できる。インプラントは、その全体を全て骨材料で形成できるが、１つ以上のコンポーネンツまたは材料を、合成材料または他の材料を含む非骨材料で形成することもできる。かくして、本明細書に開示するインプラントは、一般に、主として骨から形成されると説明されているが、インプラントは、その全体または一部を、ステンレス鋼、チタンその他の金属、合金、ヒドロキシアパタイト、再吸収可能材料、ポリマーまたはセラミック等の他の材料で形成でき、更には、骨チップ、骨粒子、骨線維、骨成長材料および骨セメントを組込むことができる。また、本明細書では中実構造を説明したが、任意であるが、一方の外面から他方の外面まで延びている孔すなわち貫通孔、または外面に形成されかつ内面を通って延びてはいない凹部（表面多孔性）、または内部に形成された孔を備えた構造にすることもできる。外面には、凹みおよび／またはディンプルのような表面組織を形成することもできる。凹みおよび／またはディンプルは、円形、ダイヤモンド形、矩形、不規則形状または他の形状にすることができる。
【００４２】
本明細書で説明するフレキシブルモノリシックチェーンは、長骨感染、粉砕複雑骨折、腫瘍切除術および骨切り術等の一般的な整形外科の病気および病的状態を治療するのに使用できる。また、器具は、例えば、変性円板病変、圧壊椎間板、椎体腫瘍または骨折、椎体切除または全体的不安定椎体のような脊椎の病気および病的状態に使用できる。他の実施形態では、フレキシブルモノリシックチェーンは、顎顔面用途または非融合核置換手術（non-fusion nucleus replacement procedure）に使用できる。
【００４３】
図３は、骨物質３１０からモノリシックチェーン器具探知システム２００を製造する方法３００の一例を示すものである。この例では、ベース材料として、同種移植骨大腿骨、好ましくは皮質同種移植骨が使用される。インプラントを形成するのに、他の骨例えば、橈骨、上腕骨、脛骨、大腿骨、腓骨、尺骨、肋骨、骨盤、椎骨または他の骨を使用できる。
【００４４】
図３Ａに示すように、第一段階は、原材料好ましくは骨３１０から作った全体的所望形状を有する粗いモノリシックチェーン２００′を機械加工することからなる。例えば、慣用のフライス加工技術および／または他の製造技術を使用できる。器具２００は、図示のように円筒状リンキング部分２２０により分離された全体として楕円形または球形のボディ２１０を備えた任意の所望形状にすることができる。或いは、チェーン２００は、例えば図４に示すように、実質的に均一な形状に形成できる。
【００４５】
図３の段階Ａで全体的所望形状に機械加工した後、粗いモノリシック器具２００′は、次に、段階Ｂに示すように原材料３１０から取出される。この例では、粗い器具２００′の上面３１２は、上述のような所望の全体的形状を有するように製造された。しかしながら、反対側の面３１４には、段階Ａで除去されなかった過剰の材料が含まれている。
図３の例示方法の段階Ｃでは、例えば慣用のフライス加工方法を用いて過剰の材料を除去すべく、反対側の面３１４が機械加工される。ボディ２１０およびリンキング部分２２０の所望の形状をもつモノリシックチェーン器具２００を形成するため、所望に応じて上面３１２を更に機械加工または成形できる。
【００４６】
段階Ｄでは、成形されたチェーン２００が骨から形成されたものである場合には、例えば脱ミネラル化溶液（例えば塩酸）３２２を収容している容器３２０内で、または他の方法を用いて脱ミネラル化される。脱ミネラル化は、例えば、器具２００のより小さい体積部分２２０がよりフレキシブルまたは弾性を有するようになり、これに対し器具のより大きいボディ２１０は構造的にそのままで実質的に剛性を維持できるようにするため、特定時間だけ行われるように構成できる。所望度合いのフレキシビリティまたは弾性を得るため、時間の長さおよび／または脱ミネラル化溶液の濃度または組成を変えることができる。
【００４７】
或る実施形態では、脱ミネラル化のこの２次プロセスは、例えば処理されない部分または処理すべきでない部分をマスキングまたはシールディングすることにより、器具２００の特定部分に適用できる。例えば、非フレキシブル部分２１０をマスキングすることにより、フレキシブル部分２２０は部分的または全体的に脱ミネラル化され、非フレキシブル部分的２１０は、マスキング前のこれらの元のミネラル化された状態を維持する。或いは、同種移植骨は、器具のいかなる部分をもマスキングすることなく、脱ミネラル化酸中に全体を浸漬させることができる。脱ミネラル化剤に曝される表面積を有するフレキシブル部分２２０の比較的小さい形状およびサイズにより、および例えば脱ミネラル化酸に曝される量に基いて、フレキシブル部分２２０は全体的に脱ミネラル化されるか、表面脱ミネラル化のみを受ける大きい部分２１０より少なくとも実質的に多く脱ミネラル化される。従って、小さい方の部分２２０はフレキシブルおよび弾性になり、一方、大きい方の部分２１０は比較的剛性で実質的に非フレキシブルを維持する。例えば、図２Ｂには、実質的に脱ミネラル化された領域２４０と、実質的に天然のすなわち元の組成およびミネラル化状態を有する領域２４２とが示されている。
【００４８】
下記表１には、異なるストラット形状を有するを有する４つのモノリシックチェーンの脱ミネラル化時間の例が示されている。各チェーンは皮質同種移植骨で形成されかつ約５ｍｍの直径をもつボディ部分２１０を有している。ストラット２２０の形状および寸法は、サンプル間で異なっている。４つの全てのサンプルで、ストラットは約３．５時間と４時間との間で完全に脱ミネラル化されたのに対し、ビーズは或る程度脱ミネラル化されたが、厚さ全体に亘って完全には脱ミネラル化されなかった。ストラットの寸法は図２Ｂの距離２３４に一致し、一方、ストラットの半径は図２Ｂの半径２３６に一致する。完全なフレキシビリティとは、チェーンにクラッキングまたは破壊が生じることなく２つの隣接ビーズが互いに接触するまでチェーンが曲ることができるときの状態であると考えられる。これは充分なフレキシビリティを評価する１つの方法であるが、フレキシビリティの他の評価方法を考えることもでき、本発明は、フレキシビリティのこのような評価方法に限定されるものではない。例えば、椎骨内に挿入して椎骨終板を強化しかつ支持するのに、完全なフレキシビリティをもたなくても充分でかつ望ましいこともある。
【００４９】
表１：異なるストラット形状を有する直径５ｍｍのチェーンの脱ミネラル化時間の例
2009521279.tif 000003
【００５０】
下記表２は、塩酸浴への曝し時間と、表１のサンプル（例えばサンプル１）のストラット部分２２０のフレキシビリティの近似増分的変化との関係を例示するものである。
【００５１】
表２：酸浴への曝し時間とストラットのフレキシビリティの増分的変化との関係
2009521279.tif 000004
【００５２】
もちろん、酸浴の濃度、チェーン直径、温度、元の骨サンプルのミネラル化度合いおよび状態等を含む多くのファクタに基いて、他のサンプルは、種々の曝し時間内で異なるフレキシビリティを達成するであろう。
【００５３】
モノリシックチェーンインプラントまたは他のチェーンインプラントを製造する他の種々の形態および方法を使用できる。方法の選択の少なくとも一部は、特定チェーン器具２００に使用すべき材料（単一または複数）に基いて定められる。器具が生体適合性ポリマー材料で作られる場合には、器具は、フライス加工または旋削加工等の慣用製造方法により製造できるが、これらに限定されるものではない。或いは、チェーン器具２００が生体適合性ポリマー材料から作られる場合には、器具全体を射出成形することもできる。
【００５４】
チェーン２００が金属材料で作られる場合には、チェーンは、フライス加工または旋削加工等の慣用製造方法を用いて製造できるが、これらに限定されるものではない。しかしながら、フレキシブルコンポーネンツには、焼きなまし等の２次処理を施すことができる。２次加工は、例えば非フレキシブル部分をマスキングまたはシールディングすることにより、器具のフレキシブル部分のみに限定できる。
【００５５】
或る実施形態では、チェーンインプラント２００は、少材料セクション（例えば、比較的細くてフレキシブルな部分２２０）の領域での充分なフレキシビリティを考慮に入れると同時に、大きい剛性を有しかつ荷重支持特性を考慮に入れたより大きいセクション（例えばボディ２１０）を有する任意の種類の生体適合性材料で形成できる。少材料部分２２０は、割れまたは破壊されることなく好ましくはあらゆる方向にフレキシブルで、しなやかで或いは弾性特性を有している。或いは、小材料部分２１０は、器具２００の挿入中または装入方法の他の段階に割れることを考慮に入れて、空隙の適正充填を考慮に入れることができる。材料は、チタンおよびスチールを含む金属にすることができるが、これらに限定されるものではない。ポリマー或いは同種移植骨組織材料を使用することもできる。骨に代えてまたは骨に加えて、器具２００には、１つ以上の他の材料、例えば金属（チタン、スチールまたは他の金属）、合金またはポリマーを使用できる。或る実施形態では、器具２００の材料は、骨伝導性、骨誘導性および／または骨形成性をもたせることができる。他の実施形態では、インプラント器具２００は、非モノリシック材料で作ることができる。
【００５６】
図４Ａ〜図４Ｃに示すように、チェーン２００は、任意の所望の幾何学的形状にすることができる。例えば、剛性部分２１０およびフレキシブル部分２２０は、立方体、円筒状、任意の多面体形状、ボール、バナナ形またはインゲン豆形またはこれらの任意の組合せ等の同じ形状または異なる形状にすることができる。部分２１０および／または部分２２０は、例えば矩形、円形、楕円形、五角形、六角形等の任意の所望断面形状にすることができる。フレキシブル部分２２０および非フレキシブル部分２１０は、図４Ａ〜図４Ｃに示すように比較的均一な形状の構造を形成する同じ形状にすることができる。
【００５７】
図５に示すように、１つ以上のボディ２１０には、キャビティ５１０および中央孔５１２を設けることができる。このような孔５１２またはキャビティ５１０は空所でもよいし、例えばセメント、骨充填材、接着剤、移植片材料、治療剤または他の任意の所望物質で充填することもできる。充填材には放射線不透過性剤を混入しておき、手術中および手術後にチェーンまたはボディを視認できるようにすることができる。他の実施形態では、インプラント器具２００は、骨の治癒をサポートおよび促進し、感染を低下させ、および／または治療部位に治療剤を配給する種々の物質でコーティングすることができる。例えば、器具２００またはその一部は、抗生物質、ＢＭＰ、骨成長促進剤、多孔質または非多孔質の骨内成長剤、治療剤等でコーティングすることができる。インプラントには放射線不透過性剤を組込んでおき、手術中および手術後にチェーンまたはボディを視認できるようにすることができる。また、チェーンインプラントの或る部分の上または部分の中には、治療剤、薬剤、ＢＭＰ、組織成長促進剤、骨誘導剤を吸収させまたは灌流させることができる。更に、中実の非フレキシブル部分２１０には、種々の物質または薬剤が充填されるキャビティ、縦孔または横孔またはこれらの組合せを設けることができる。
【００５８】
図６Ａおよび図６Ｂに示すように、損傷を受けた椎体１２例えば次の椎骨圧迫骨折を強化する最小侵襲方法は、１つ以上のチェーン２００を、終板６１４と終板６１６との間の椎体１２の内部６１２内に移植することからなる。もちろん、圧迫または圧迫骨折前に、椎骨を強化すべく、予防措置として１つ以上のチェーン２００を移植することができる。椎体１２の外側皮質シェル内には、トロカール、ドリルまたは他の器具により孔を形成することができる。次に、例えば椎体１２内に挿入されたカニューレ６０２または他の導入器を通してチェーン２００を移植することができる。カニューレ（該カニューレを通してチェーン２００が導入される）を挿入する適当な手術および材料は当該技術分野で既知であり、脊椎後弯形成術および他の手術について上述したのと同様である。例えば、カニューレ６０２は椎体１２の後部１６、例えばペディクル１４を通して導入される（例えば、経ペディクルアプローチ）。チェーン２００が挿入され、椎体内に海綿骨および骨粗しょう症の骨を詰め込む。
【００５９】
カニューレの挿入前に、例えばドリルまたは他の器具を用いて、椎体内に通路が形成される。次に、チェーン２００が通路を通して挿入され、椎体内に骨材料を詰め込むすなわち圧縮する。或いは、椎体内に通路が形成された後に、例えばキューレットまたはバルーンカテーテルを用いて椎体内の骨を圧縮しかつ詰め込んでキャビティを形成する。次に、この器具が取出される。或いは、カテーテルのバルーンカ部分を椎体内に留めておき、インプラントの容器を形成することもできる、また、椎体内のキャビティは、骨を詰め込むのではなく、骨材料を除去することによっても形成できる。例えば、リーマその他の器具を用いて、椎体内から骨材料を除去することができる。
【００６０】
チェーン２００のよりリンクされたボディ２１０が椎体１２内に挿入されたときに、どれほどのキャビティが骨構造内に最初に形成されるか、或いはチェーン（単一または複数）が最初にキャビティを形成することなく挿入されたとしても、ボディは中央部分６１２を充填して構造的支持体を形成し、椎体を安定化する。圧壊された椎骨では、チェーンインプラント２００が中央部分６１２を充填するので、インプラント、特にリンクされたボディ２１０が終板６１４、６１６の内部すなわち内面を押すことができ、このため、椎体１２を圧壊された高さｈ１からその元の高さすなわち所望の治療高さｈ２まで修復させることができる。チェーンインプラントを挿入して椎骨の高さを修復させる代わりに、通路を通して器具を挿入し、椎骨および終板の高さを修復させることができる。例えば、バルーンカテーテルを挿入して椎骨の終板を修復するか、終板の内面に接触してこれらを押し拡げる細長器具を使用することもできる。また、チェーンのボディ２１０同士の間の１つ以上の部分２２０のフレキシビリティにより、チェーンを、スペース６１２内で例えば均一パターンまたは不均一または曲りくねった形状で曲げ、これにより、骨１２内でのインプラント２００の完全一体化を確保できる。また、フレキシブル部分により取付けられたボディ２１０の構成により、キャビティおよび／または椎骨を実質的に充填するように曲げることができ、このため、さもなくば弱化スポットマッチング弱化骨構造を形成することになる大きいポケットまたは空隙が形成されまたは留まることがなくなる。フレキシブルリンクはまた、チェーンが圧縮されてもつれ合うことを可能にし、これにより、チェーンはその挿入孔より大きくなって容易には飛び出なくなる。
【００６１】
他の実施形態では、チェーン２００は、例えばカニューレ６０２のルーメン６０４または他のシースを通して椎体１２等の骨内に挿入され、このようなシースは骨１２内の移植後に取出される。このような実施形態では、チェーン２００またはその一部が椎体１２内に留まって、例えば椎骨を強化しかつ適正な脊椎前弯を維持し続けることができる。他の実施形態では、ＰＭＭＡまたは他の骨セメントまたは充填材（例えば骨チップ）が、ボディ２１０と一緒に例えばシャフトおよび／またはカニューレ６０２を通して、連続的または同時的に椎体１２内に挿入され、損傷を受けた領域の固定または補修効果を更に高める。或いは、チェーン２００を挿入すべく最初に形成された孔内に、骨セメントのプラグ（例えば図８Ａのプラグ８１２）のみを挿入できる。プラグは、挿入孔をカバーして、インプラント（チェーン）が取出されることおよび飛び出ることを防止する。他の実施形態では、チェーン２００の幾つかのボディまたは全てのボディ２１０が骨の整復後に取出され、ＰＭＭＡまたは他の骨セメントまたは充填材が、チェーン２００により形成された空隙内に注入される。或いは、骨成長促進充填材が、椎体１２内、およびリンクされたボディおよび充填材を椎骨内に保持すべく使用される骨セメントのプラグ内に挿入される。
【００６２】
或る実施形態では、フレキシブルチェーン２００が接着剤でコーティングされ、これにより、チェーン２００は、フレキシブル状態で椎体１２内に挿入されかつ挿入時または挿入後にもつれ合いおよび／または絡み合うようになる。挿入後に、ボディ２１０は接着剤により一体に取付けられ、これにより、フレキシブルチェーンは椎体内にロックされる塊となるか、チェーンが挿入開口を通して容易には取出されないようになる。
【００６３】
他の実施形態では、リンクされたボディ２１０が接着剤でコーティングされ、チェーンは、もつれ合いかつ絡み合って、またはもつれ合うことおよび絡み合うことなく、椎体内に挿入される。チェーン２００の幾つかのまたは全てのリンキングボディ２１０の挿入中または挿入後に、チェーン２００の一部がエネルギ源（例えば、紫外線、超音波、高周波、熱、電界、磁界）に曝され、例えば接着剤を活性化する。これにより、チェーン２００の曝された部分が結合されて塊を形成または剛性になり、これにより、椎体１２が更に強化されおよび／またはチェーン２００が挿入開口を通って取出されまたは飛び出ることを防止する。
【００６４】
図７は、椎体１２の一部６１２内に移植された１つ以上のチェーン２００を有する椎体１２を示す平断面図である。１つ以上のチェーン２００は、前述のように、１つ以上のリンキング部分により直列に結合された複数のボディ２１０を有する。１つ以上のカニューレ６０２（各カニューレはリンクされたボディ２１０を通す充分なサイズのルーメン６０４を有している）を使用して、チェーン２００を椎体内に移植する。１つ以上のカニューレ６０２は、好ましくはペディクルを通して椎体１２内に挿入される。或る実施形態では、１つ以上のカニューレ６０２は椎体１２内に残され、例えばストラット（図示せず）により所定位置に保持されたペディクル１４から延びている状態に留められる。
【００６５】
或る実施形態では、チェーン２００は、図８Ａに示すように椎体１２内に完全に移植され、カニューレまたは他の導入器は取外される。チェーンは骨内に完全に留められる。チェーン２００が挿通された通路８１０は、例えば骨セメントプラグ等のプラグ８１２が充填される。或いは図８Ｂに示すように、チェーン２００の端部２０４は、骨の挿通孔、例えば椎骨１２のペディクル１４を通って延びている状態にしておく。図８Ｃに示す他の実施形態では、例えば骨ねじ８００のような他のインプラントまたは器具がチェーンインプラント２００と組合せて椎体１２内に挿入され、椎体１２を更に強化する。例えば、椎体１２を整復するための永久的な力を椎体に伝達するアンカー要素として、伸長した端部２０４または付加インプラント８００を使用できる。ねじ８００は、チェーンの挿入に使用された開口内挿入され、チェーンが外れたり飛び出すことを防止するプラグとして更に機能する。ねじ８００は、中空または中実のいずれでもよく、またステンレス鋼、合金、セラミック、ポリマー、複合材料または他の任意の所望材料で作ることができる。或る実施形態では、ねじ８００は、例えばカニューレ６０２のルーメン６０４のようなルーメンからなる中空にして、椎体１２内にチェーン２００を挿入する通路を形成する導入器として使用できる。椎体１２内には骨セメントまたは他の材料を注入して、インプラント２００および／または８００を更に固定しかつ椎体１２を強化することができる。骨セメントまたは他の材料は、ねじのカニュレーションを通して挿入できる。
【００６６】
図９Ａ〜図９Ｄには、椎体内に移植されるフレキシブルモノリシックチェーン器具の他の例が示されている。図９Ａでは、チェーン器具２００が、例えば滅菌パッケージまたは容器から開封された後に、チェーン２００を骨の所望キャビティ、空隙、スペースまたは内部に挿入しおよび／または詰めることを補助する導入器またはデリバリ器具９１０内に入れられる。この例では、デリバリ器具９１０が細長いカニューレ状シャフト９１２を有し、該シャフト９１２は、チェーン２００が挿通されるルーメンを有している。器具９１０は、チェーン２００の装填を容易にしおよび／または移植前にチェーン２００の一部を保持するためのファンネル９１４または他の構造を有している。挿入器具９１０の挿入端９１６はチップ９１８を有し、該チップ９１８は、骨または他の構造内への端部９１６の挿入を容易にするのに望ましい鈍角、尖鋭、テーパ状または他の形状を有している。
【００６７】
図９Ｂは、挿入器具９１０のチップ９１８が椎体の内部６１２に入るように、挿入器具９１０の端部０１６が椎体１２のペディクル１４を通って挿入されるところを示している。椎体の外側皮質シェルには、トロカール、ドリルまたは他の器具により、導入器９１０を挿入する通路となるアクセス孔が形成される。所望領域例えば椎体１２内にデリバリ器具９１０の端部９１６が挿入された後、好ましくはペディクルを通してチェーン２００が挿入される。
【００６８】
図９Ｃは、チェーン２００の第一端部２０２が、導入器９１０を通して椎体１２のスペース６１２内に挿入されているところを示している。チェーン２００は、導入器９１０を通してチェーン２００を押し込むべく、例えばチェーンの反対側の端部２０４から軸線方向の力を手で加えることにより、椎体１２内に押し込まれる。他の実施形態では、例えば図１１〜図１３に関連して後述するように、チェーン２００を移植させる軸線方向力を加えるのに、押し込み部材、スプロケット、ねじ機構または他の器具が使用される。或る実施形態では、１つの長いフレキシブルモノリシック器具２００が、手術部位内に挿入されかつ移植される。或いは、種々の短いチェーン器具２００および／または他の器具が、所望のキャビティ、空隙またはスペース内に詰め込まれまたは挿入される。多くの短いチェーン器具は、これらが挿入されるとき、端部と端部とが互いに連続的に取付けられる。この態様では、１つのチェーンが殆ど挿入されかつ一端が患者から出ているので、部分的に挿入されたチェーンに次のチェーンが取付けられる。図９Ｄには、１つ以上のチェーン２００が椎体１２の中央部６１２内に完全に挿入されているところが示されている。
【００６９】
上記特許文献５には、ＦＭＣを導入するカニューレを挿入する他の適当な方法および材料が開示されている。尚、この特許文献５はその全体を本願に援用する。椎体内への挿入中に、チェーンまたは他のインプラント２００が、圧壊された椎体内に海綿骨および／または骨粗しょう症の骨を詰め込む。或いは、椎体内で骨を圧縮しかつ詰め込むみキャビティを形成するのに、例えばキューレットまたはバルーンカテーテル等のツールが使用される。椎体内のキャビティはまた、骨を詰め込むのではなく骨材料を除去することによっても形成される。例えば、椎体内から骨材料を除去するのに、リーマまたは他の器具を使用できる。
【００７０】
他の実施形態では、インプラント２００と同時に、例えば導入器９１０、または他のカニューレ、シース、シリンジまたは他の導入器を通して、ＰＭＭＡまたは他の骨セメントまたは充填材（例えば骨チップまたは骨のリーマ加工から収集された材料）が椎体１２内に挿入され、損傷領域の固定または補修を更に促進する。或いは、ＰＭＭＡ、骨セメントまたは充填材は、チェーン（またはその一部）が骨の内部に挿入された後に骨の内部に挿入できる。或いは、骨成長促進充填材が椎体内に挿入され、骨セメントのプラグを用いてインプラント２００および充填材を椎体１２内に保持する。この態様では、セメントのプラグが骨の内部に挿入されることはなく、インプラントを挿入すべく骨に形成された開口をカバーする。
【００７１】
図１０Ａ〜図１０Ｃには、インプラントおよび挿入器具の最小侵襲性融合または非融合システムが示されている。前述のように、フレキシブルモノリシックチェーン器具１０００が、図１０Ａに示すように、例えばカニューレ１０３０またはペディクル１４を通して挿入された導入器を通して椎体１２内に挿入される。任意であるが、湾曲チップまたは変形チップ１０３４を備えたガイドまたは他のツール１０３２が、カニューレ１０３０を通して挿入され、椎体１２の終板を反らしおよび／またはチェーン１０００のボディ１０１０を所望方向に案内すべく作用する。チェーン１０００が椎体１２内に押し込まれると、チェーン１０００のフレキシブル部分１０２０が曲って、チェーン１０００が、中央部６１２を充填すべく所望方向に曲ることができるようにする。フレキシブル部分は、インプラントが、好ましくは最小空隙率すなわち最小開スペースで骨の内部を実質的に充填すべく、インプラント自体の上に折畳まれることができるようにする。
【００７２】
図１０Ｂに示すように、チェーン１０００は、異なる形状のフレキシブル部分すなわちストラット１０２０および非フレキシブル部分１０１０を有している。例えば、フレキシブルジョイント１０２０は、非フレキシブル部分１０１０より細くなっている。非フレキシブル部分１０１０は、インゲン豆の形状、直方体または他の任意の形状にすることができる。幾つかの非フレキシブルボディは他の非フレキシブルボディとは異なるサイズおよび形状にすることができ、例えば、これらの非フレキシブルボディは、幅Ｙ1を有する第一非フレキシブルボディ１０１０−１から、この幅Ｙ1よりも大きい幅Ｙ2をもつ最終の非フレキシブルボディ１０１０−５まで、サイズを増大させることができる。例えば図１０Ｂの例示実施形態では、幅Ｙ1は約５ｍｍと約２ｍｍとの間またはこれより小さく、幅Ｙ2は約６ｍｍと約８ｍｍとの間またはこれより小さい。同様に、ボディ１０１０−１の長さＸ1は、ボディ１０１０−５の長さＸ2より実質的に短い。例えば、図１０Ｂの例示実施形態では、長さＸ1は約２ｍｍと約６ｍｍとの間、長さＸ2は約６ｍｍと約１４ｍｍとの間にすることができる。チェーン１０００の全長は所望用途によって、例えば約１０ｍｍから約１５０ｍｍの範囲、より好ましくは約４０ｍｍから約１００ｍｍの範囲で変えることができる。もちろん、本発明の範囲から逸脱することなく、ボディ１０１０および／またはフレキシブル部分１０２０の種々の他のサイズおよび相対的に異なる幅のサイズ、周囲、形状曲率または他の寸法を採用することができる。
【００７３】
或る実施形態では、１つ以上のボディ１０１０に１つ以上の開口またはキャビティ１０１２または１０１４を設けることができる。これらの開口またはキャビティ１０１２、１０１４は空所とすることもできるし、例えばセメント、骨充填材、接着剤、グラフト材料、治療剤または他の任意の所望材料で充填することができる。他の実施形態では、インプラント器具１０００には、骨の治癒をサポートしかつ促進する種々の物質、感染を低下させる物質および／または治療部位に治療剤を配給する物質をコーティングすることができる。また、非フレキシブル部分またはフレキシブル部分は、例えば骨または他の組織の成長を容易にするため、多孔質表面１０１６とすることができる。
【００７４】
図１０Ｃには、実質的に直方体または円筒状のボディ１０１０−１、１０１０−２、１０１０−３、１０１０−４および１０１０−５を有するチェーン１０５０の他の実施形態が示されている。これらのボディは、フレキシブルリンク部分１０２０で分離されており、互いに同寸法または異なる寸法にすることができる。図１０Ｃにおいて、全てのボディ１０１０−１、１０１０−２、１０１０−３、１０１０−４および１０１０−５は同じ高さｈを有するが、長さは異なっている。図１０Ｃのストラット１０２０は、ボディ１０１０とは異なる小さい高さを有している。
【００７５】
図１１は、チェーン２００を骨または他の所望構造内に移植するための挿入器具１１００を示す側断面図である。例えば挿入器具１１００は、壁１１２２およびルーメン１２２３を備えた挿入チューブすなわちカニューレ１１２０を有している。ルーメン１２２３内には、この少なくとも一部を通って、回転ねじ機構１１１０が配置されている。ねじ機構１１１０は、アキシャルシャフト１１１２を包囲する螺旋状ねじ山１１１４を備えている。ねじ山１１１４は、好ましくはシャフトから延びており、例えばボディ２１０同士の間でチェーン２００と係合する寸法およびスペースを有している。例えばハンドル１１３０を回転させることによりねじ１１１０を回転させると、ねじ山１１１４がボディ２１０と係合して、チェーン２００をカニューレ１１２０のルーメン１２２３を通して、所望の骨または他の領域内へと軸線方向に押しやる。このような挿入器具はインプラントの挿入力を高めることができ、例えば、椎体の終板を移動させて終板の高さを復元し、インプラントの一領域の海綿骨を圧縮させ、またはインプラントを所望領域内に押しやることができる。
【００７６】
図１２および図１３には、導入器を通してチェーン２００を所望領域内に押しやる他の機構を示すものである。より詳しくは、図１２には、プランジャ、プッシャ、またはカニューレ１１０２内に挿入された他の押出し部材１２００が示されている。押出し部材１２００は、チェーンのボディ２１０をカニューレ１１０２を通して椎体１２内に変位させるすなわち押出すのに使用される。押出し部材１２００は、例えばシリンジ、ロッドからの圧力により、または押出し部材１２００をカニューレ１１０２内および椎体１２に向けて押しやる他の器具により駆動される。図１３の実施形態では、歯、ギヤまたは他の突起を備えたホイール状の器具すなわちスプロケット１３００がチェーン２００のボディ２１０と係合するように構成されている。スプロケット１３００は、中心軸線１３０４の回りで例えば矢印１３０６で示す方向に回転し、歯１３０２は、ボディ２１０と係合してチェーン２００をカニューレ１１０２を通して椎体１２の一部６１２内に押しやる。他の実施形態では、スプロケット１３００は、例えば椎体１２の高さを修復させた後に、チェーン２００の一部または全部を取出すべく逆方向に回転させることができる。
【００７７】
本明細書に開示するフレキシブルモノリシックチェーン器具および／または方法は、例えば上記特許文献５に開示された椎体または他の骨の強化方法または器具と組合せてまたはこれらの強化方法または器具の代わりに使用できる。
【００７８】
かくして、本明細書に開示する器具および方法は、例えば、椎骨圧迫骨折および脊椎湾曲の範疇における椎骨の整復および強化について説明したが、種々の他の用途および方法を考えることができる。例えば、或る実施形態では、移植可能なモノリシックチェーン２００は、未だ圧迫または圧迫骨折が生じていない椎骨を強化するのに使用でき、従って本質的に予防処置にも使用できる。また或る実施形態では、チェーンは２つの椎骨の間に使用することもできる。例えば、チェーンインプラントは脊椎円板の環状体（annulus）内に挿入して円板を除去でき、隣接椎骨間に挿入されたチェーンインプラントは、隣接椎骨の融合を促進する。或る実施形態では、チェーンインプラントは、隣接椎骨間に移植されたケージのような付加インプラント内に挿入できる。チェーンインプラントはまた、図１４に示すように、骨折または弱化した近位側大腿骨１４００のような損傷を受けた他の骨領域を整復しおよび／または強化するのにも使用できる。このような実施形態では、例えば１つ以上のチェーン２００が、例えば図１５に示すようなカニューレ１１０２または他の導入器を通して大腿骨１４００の頭部１４１０内に挿入される。ひとたび挿入されたならば、チェーン２００は頭部１４１０内で材料を詰め込み、頭部１４１０を強化する中実支持体を形成する。この強化を補助するため、骨セメントまたはその他の充填材を使用することもできる。他の実施形態では、１つ以上のチェーン２００に加えてまたはこれに代えて、他のインプラント１４２０を挿入できる。
【００７９】
或る実施形態では、本明細書で説明するインプラントおよび方法は、他の器具および方法と組合せて使用し、脊椎前弯の修復および椎体の強化を行うことができる。例えば椎体の整復および／またはチェーン２００のボディ内のスペースの形成を開始するのに使用される例えばバルーン脊椎後弯形成術のような既知の処置と組合せて使用することもできる。他の実施形態では、１つ以上のチェーン２００を、椎骨または他の骨を操作して所望位置に固定する補助をなす他のツールまたは外部固定器具と組合せて使用することができる。
【００８０】
他の実施形態では、組立体およびコンポーネンツの種々の組合せからなるキットを構成できる。キットには、例えば、カニューレまたは他の導入器および１つ以上のフレキシブルモノリシックチェーン２００を含めることができる。１つ以上のチェーン２００は、異なるサイズ、例えば異なる長さおよび／または直径に形成できる。他の実施形態では、キットに、導入器、１つ以上のチェーン、および椎体または他のスペース内にセメントその他の充填材を注入するシリンジまたは他の器具を含めることができる。他の実施形態では、キットに、１つ以上のバルーンカテーテル、キューレットおよび他の器具を含めることができ、更に、例えば上記特許文献５に開示されているように、アンカーリング要素、テンショニング部材、固定部材またはこれらの任意の組合せを含めることができる。当業者ならば、器具、コンポーネンツおよび組立体の種々の他の組合せを考え得るであろうし、これらは本発明の範囲内に包含されるものである。
【００８１】
他の実施形態では、脊柱に付随する不快感を緩和する種々の最小侵襲性インプラントおよび方法は、本明細書に開示するアンカーおよび他のインプラントを採用できる。例えば、拡大可能な容器（図示せず）内のモノリシックチェーンインプラントは、隣接椎骨の突起間に移植されて、突起を滑らかにしかつ例えば脊椎狭窄、小関節の関節症等により引起こされる痛みおよび他の問題を緩和する。例えば本明細書に開示の強化システムは、上記特許文献６および７に開示された拡大可能な椎骨間突起器具および方法の代わりにまたはこれらに加えて使用できる。例えば、カニューレは、フレキシブルチェーンが充填される容器を挿入して該容器を拡大しかくして隣接椎骨突起を所望距離に維持すべく、隣接椎骨突起間に横方向から挿入される。或いは、膨張可能なバルーン部分を備えたバルーン容器は、隣接椎骨突起を通して挿入されかつフレキシブルチェーンが充填されて、バルーンを所望サイズに拡大させ、隣接椎骨突起を所望距離に保持する。その後、バルーンがシールされかつカテーテルから取外される。フレキシブルボディを補足するため、他の材料をバルーン内に挿入することができる。
【００８２】
以上、本発明の好ましい実施形態を説明しかつ図示したが、特許請求の範囲に記載の本発明の精神および範囲から逸脱することなく、種々の付加、変更および置換を行うことができる。特に、本発明は、その精神または本質的特徴から逸脱することなく、他の特定形態、構造、構成、割合で、かつ他の要素、材料およびコンポーネンツを用いて具現できる。従って、本願に開示した実施形態は全ての点で例示であって制限的なものではなく、本発明の範囲は、特許請求の範囲の記載により定められるものであって、上記説明に限定されるものではない。
【図面の簡単な説明】
【００８３】
【図１】椎骨が圧迫骨折された脊椎の一部を示す側面図である。
【図２Ａ】本発明の一実施形態によるフレキシブルモノリシックチェーンを示す斜視図である。
【図２Ｂ】図２Ａのフレキシブルモノリシックチェーンの２Ｂ−２Ｂ線に沿う拡大側断面図である。
【図３Ａ】フレキシブルモノリシックチェーンの製造方法を示す図面である。
【図３Ｂ】フレキシブルモノリシックチェーンの製造方法を示す図面である。
【図３Ｃ】フレキシブルモノリシックチェーンの製造方法を示す図面である。
【図３Ｄ】フレキシブルモノリシックチェーンの製造方法を示す図面である。
【図４Ａ】実質的に均一な寸法をもつフレキシブル部分および非フレキシブル部分を備えたフレキシブルモノリシックチェーンの他の実施形態を示す斜視図である。
【図４Ｂ】実質的に均一な寸法をもつフレキシブル部分および非フレキシブル部分を備えたフレキシブルモノリシックチェーンの他の実施形態を示す斜視図である。
【図４Ｃ】実質的に均一な寸法をもつフレキシブル部分および非フレキシブル部分を備えたフレキシブルモノリシックチェーンの他の実施形態を示す斜視図である。
【図５】フレキシブルモノリシックチェーンの他の実施形態を示す斜視断面図である。
【００８４】
【図６Ａ】骨折した椎体内に移植されたフレキシブルモノリシックチェーンを示す側断面図である。
【図６Ｂ】骨折した椎体内に移植されたフレキシブルモノリシックチェーンを示す側断面図である。
【図７】椎体内に移植されたフレキシブルモノリシックチェーンを示す平断面図である。
【図８Ａ】椎体内に移植されたフレキシブルモノリシックチェーンを備えた椎骨を示す側断面図である。
【図８Ｂ】図８Ａの移植されたフレキシブルモノリシックチェーンを備えた椎骨の側断面図であり、椎骨から延びているチェーンの一端を示すものである。
【図８Ｃ】図８Ａの移植されたフレキシブルモノリシックチェーンを備えた椎骨の側断面図であり、ペディクルねじインプラントを更に備えているところを示すものである。
【図９Ａ】フレキシブルモノリシックチェーンを椎体内に移植する最小侵襲方法を示す平面図である。
【図９Ｂ】フレキシブルモノリシックチェーンを椎体内に移植する最小侵襲方法を示す平面図である。
【図９Ｃ】フレキシブルモノリシックチェーンを椎体内に移植する最小侵襲方法を示す平面図である。
【図９Ｄ】フレキシブルモノリシックチェーンを椎体内に移植する最小侵襲方法を示す平面図である。
【図１０Ａ】フレキシブルモノリシックチェーンを椎体内に移植する他の方法を示す平断面図である。
【図１０Ｂ】図１０Ａの方法に使用できるフレキシブルモノリシックチェーンを示す平面図である。
【図１０Ｃ】図１０Ａの方法に使用できるフレキシブルモノリシックチェーンの他の実施形態を示す側面図である。
【００８５】
【図１１Ａ】チェーンインプラントを導入器を通して駆動するねじ器具を示す側面図である。
【図１１Ｂ】チェーンインプラントを導入器を通して駆動するねじ器具を示す端面図である。
【００８６】
【図１２】チェーンインプラントを導入器を通して駆動するプランジャ器具を示す側面図である。
【図１３】チェーンインプラントを導入器を通して駆動するスプロケット器具を示す側面図である。
【図１４Ａ】大腿骨頭内に移植されたフレキシブルモノリシックチェーンを示す側断面図である。
【図１４Ｂ】大腿骨頭内に移植されたフレキシブルモノリシックチェーンを示す側断面図である。
【図１５】カニューレを通して大腿骨頭内に移植されたチェーンを示す断面図である。
【符号の説明】
【００８７】
１０  脊椎
１２  椎体
２００  チェーン
２１０  ボディ
２２０  リンキング部分（フレキシブル部分、ストラット）
３２０  脱ミネラル化溶液
５１０  キャビティ
６０２  カニューレ
６０４  ルーメン
８１２  プラグ
９１０  デリバリ器具
１１１０  ねじ機構
【図１】
2009521279.tif 000005
【図２Ａ】
2009521279.tif 000006
【図２Ｂ】
2009521279.tif 000007
【図３Ａ】
2009521279.tif 000008
【図３Ｂ】
2009521279.tif 000009
【図３Ｃ】
2009521279.tif 000010
【図３Ｄ】
2009521279.tif 000011
【図４Ａ】
2009521279.tif 000012
【図４Ｂ】
2009521279.tif 000013
【図４Ｃ】
2009521279.tif 000014
【図５】
2009521279.tif 000015
【図６Ａ】
2009521279.tif 000016
【図６Ｂ】
2009521279.tif 000017
【図７】
2009521279.tif 000018
【図８Ａ】
2009521279.tif 000019
【図８Ｂ】
2009521279.tif 000020
【図８Ｃ】
2009521279.tif 000021
【図９Ａ】
2009521279.tif 000022
【図９Ｂ】
2009521279.tif 000023
【図９Ｃ】
2009521279.tif 000024
【図９Ｄ】
2009521279.tif 000025
【図１０Ａ】
2009521279.tif 000026
【図１０Ｂ】
2009521279.tif 000027
【図１０Ｃ】
2009521279.tif 000028
【図１１Ａ】
2009521279.tif 000029
【図１１Ｂ】
2009521279.tif 000030
【図１２】
2009521279.tif 000031
【図１３】
2009521279.tif 000032
【図１４Ａ】
2009521279.tif 000033
【図１４Ｂ】
2009521279.tif 000034
【図１５】
2009521279.tif 000035
【手続補正書】
【提出日】平成20年9月10日(2008.9.10)
【手続補正１】
【補正対象書類名】特許請求の範囲
【補正対象項目名】全文
【補正方法】変更
【補正の内容】
【特許請求の範囲】
【請求項１】
長手方向長さと、最大幅と、最大高さとを有するフレキシブル細長部材を有し、前記長手方向長さは、前記最大幅または前記最大高さのいずれか一方よりも実質的に大きく、前記フレキシブル細長部材は、
実質的に非フレキシブルである複数のボディと、該複数のボディを相互連結する実質的にフレキシブルである複数のリンクとを有し、前記複数のボディおよび前記複数のリンクは端と端とが連結されて細長部材を形成し、
該細長部材は骨で形成されていることを特徴とする体組織強化器具。
【請求項２】
前記複数のボディは第一横断面サイズを有し、前記複数のリンクは第二横断面サイズを有し、第一横断面サイズは第二横断面サイズより大きいことを特徴とする請求項１記載の体組織強化器具。
【請求項３】
前記細長部材の長手方向長さは、約４０ｍｍと約１５０ｍｍとの間にあり、前記細長部材の最大高さは、約２ｍｍと約８ｍｍとの間にあり、前記細長部材の最大幅は、約３ｍｍと約８ｍｍとの間にあることを特徴とする請求項１記載の体組織強化器具。
【請求項４】
前記細長部材は同種移植骨で形成されていることを特徴とする請求項１記載の体組織強化器具。
【請求項５】
前記複数のリンクは、前記複数のボディより高い度合いで脱ミネラル化されていることを特徴とする請求項４記載の体組織強化器具。
【請求項６】
前記細長部材は一体モノリシックチェーンとして形成されていることを特徴とする請求項１記載の体組織強化器具。
【請求項７】
前記細長部材の少なくとも一部に適用されたコーティングを更に有していることを特徴とする請求項１記載の体組織強化器具。
【請求項８】
前記コーティングは、治療剤、骨セメント、抗生物質および骨成長促進物質から選択された少なくとも１つの群からなることを特徴とする請求項７記載の体組織強化器具。
【請求項９】
前記コーティングは、体組織内への挿入時に活性化される骨セメントからなることを特徴とする請求項８記載の体組織強化器具。
【請求項１０】
前記ボディの少なくとも一部は、骨の内成長を促進するように構成された外面を有していることを特徴とする請求項１記載の体組織強化器具。
【請求項１１】
前記細長部材は骨内に挿入できることを特徴とする請求項１記載の体組織強化器具。
【請求項１２】
前記細長部材は２つの椎骨間に挿入できることを特徴とする請求項１記載の体組織強化器具。
【請求項１３】
前記細長部材の少なくとも一部をカバーする骨セメントコーティングを更に有し、該コーティングは活性状態および不活性状態を有し、骨セメントは、不活性状態から活性状態に変化させるべく使用者により制御され、活性状態は、セメントを他の表面に付着させることができることを特徴とする請求項１記載の体組織強化器具。
【請求項１４】
骨を機械加工して細長部材を作る段階を有し、該細長部材はその高さまたは幅のいずれよりも大きい長手方向長さを有し、細長部材は複数のリンクにより一体に連結された複数のボディを有し、リンクはボディ間に配置され、ボディは、端と端とが連結される態様で１つの線に沿って連結されることを特徴とする同種移植骨インプラントの製造方法。
【請求項１５】
前記ボディはリンクより大きい体積を有し、細長部材は、１つの単一モノリシックインプラントと同じ骨から形成されることを特徴とする請求項１４記載の製造方法。
【請求項１６】
前記細長部材を脱ミネラル化する段階は、複数のボディおよび複数のリンクを、実質的に同じ時間だけ同じ脱ミネラル化溶液に曝すことを含むことを特徴とする請求項１４記載の製造方法。
【請求項１７】
前記リンクは完全に脱ミネラル化されることを特徴とする請求項１６記載の製造方法。
【請求項１８】
骨が脱ミネラル化溶液に曝されないようにすべく、複数のボディをカバーする段階と、
リンクおよびカバーされたボディを脱ミネラル化溶液に曝す段階を更に有することを特徴とする請求項１４記載の製造方法。
【国際調査報告】
2009521279.tif 000036
2009521279.tif 000037
2009521279.tif 000038
2009521279.tif 000039
2009521279.tif 000040
2009521279.tif 000041